(57)【要約】【課題】  携帯電話やＰＨＳなどの携帯端末機の充電器や、ライト等の照明器具などとして使用できる一台で複数の機能を備えた実用性のある多機能器具装置を提供することにある。【解決手段】  電源からの電力を接続させた携帯端末機の充電へ使用する携帯端末機充電機能と、電源からの電力を取り付けた発光体を発光させる発光機能とを備えた多機能器具装置であって、装置起動時に出力電圧及び出力電流を漸次増加させて、多段階に分けて起動させるための多段階起動回路を備えた多機能器具装置。【選択図】  図１
2007006561.tif 000002
【特許請求の範囲】
【請求項１】
電源からの電力を接続させた携帯端末機の充電へ使用する携帯端末機充電機能と、電源からの電力を接続させた携帯端末機の充電以外の目的へ使用する充電外機能とを備えた多機能器具装置であって、
装置起動時に出力電圧及び出力電流を漸次増加させて、多段階に分けて起動させるための多段階起動回路を備えた多機能器具装置。
【請求項２】
電源として、充電する携帯端末機に付属のＡＣアダプターを用いてコンセント，１次電池又は２次電池若しくはこれらの組み合わせからなるものを使用して電力を得ることとした請求項１記載の多機能器具装置。
【請求項３】
各種ＡＣアダプターに対応したアダプター接続口を備えた請求項２記載の多機能器具装置。
【請求項４】
ＡＣアダプターの複数同時接続を防止するための多重接続防止機能を備えた請求項３記載の多機能器具装置。
【請求項５】
充電外機能として、取り付けた発光体を発光させる発光機能を備えた請求項１から４のいずれかに記載の多機能器具装置。
【請求項６】
発光機能は、装置本体に対して付勢するようにして取り付けられている発光体の上カバーをタッチすることで起動するタッチスイッチを備えた請求項５記載の多機能器具装置。
【請求項７】
充電外機能として、取り付けたモーターを回転させる動力機能を備えた請求項１から６のいずれかに記載の多機能器具装置。
【請求項８】
充電外機能として、ＡＣアダプターから得た電力を備え付けた２次電池の充電へ使用する２次電池充電機能を備えた請求項１から７のいずれかに記載の多機能器具装置。
【請求項９】
装置本体を携帯端末機充電機能部分と充電外機能部分とで切離自在とした請求項１から８のいずれかに記載の多機能器具装置。
【請求項１０】
切り離した携帯端末機充電機能部分又は／及び充電外機能部分に手動による発電を可能とする手動発電機能を備えた請求項９記載の多機能器具装置。
【請求項１１】
切り離した充電外機能部分に専用のＡＣアダプターを備えた請求項９又は１０記載の多機能器具装置。
【請求項１２】
切り離した充電外機能部分に前記ＡＣアダプターを収納する収納スペースを備えた請求項１１記載の多機能器具装置。
【請求項１３】
備え付けた時計又は／及びタイマーのアラーム信号又はタイマー信号を受信し、携帯端末機充電機能又は充電外機能の作動時間を自在に設定させるための時間設定機能を備えた請求項１から１２のいずれかに記載の多機能器具装置。
【請求項１４】
音声を外部出力可能とするスピーカーを備え付けた請求項１から１３のいずれかに記載の多機能器具装置。
【請求項１５】
各種携帯端末機に対応した携帯端末機接続口を備えた請求項１から１４のいずれかに記載の多機能器具装置。
【発明の詳細な説明】
【技術分野】
【０００１】
本発明は、携帯電話やＰＨＳなどの携帯端末機の充電器や、ライト等の照明器具などとして使用できる一台で複数の機能を備えた多機能器具装置に関するものである。
【背景技術】
【０００２】
携帯電話やＰＨＳなどの携帯端末機は、ここ数年の間にかなりの数で普及している。これら携帯端末機には、バッテリーの充電がつきものである。とくに、高速データ通信の可能な第３世代の携帯電話では電力消費量も多くなるので、その分充電の頻度も高くなる。
【０００３】
ところで、一般的に携帯端末機の充電は、付属するＡＣアダプターをコンセントに差し込むことで行われる。しかしながら、コンセントの数が必ずしも十分にあるとは限らない。とくに、若者の住むようなワンルームマンションではコンセントの数が少なく、携帯端末機や他の電化製品との間でコンセントのやりくりが大変であることが多い。
【０００４】
これに対して、下記にあげる特許文献１では、携帯電話の充電器を利用でき且つ電気機器を照明することの可能な照明器具が開示されている（図７を参照）。また、同特許文献２（とくに同文献図３）でも、携帯電話の充電器ホルダーを備えた電気スタンドが開示されている（図８を参照）。
【０００５】
【特許文献１】特開２００４−５５３６１公報
【特許文献２】実用新案登録第３０８０４２６号公報
【発明の開示】
【発明が解決しようとする課題】
【０００６】
確かに、特許文献１に示す照明器具や特許文献２に示す電気スタンドを発想した点は素晴らしい。しかし、これらの発明が実際に実用性を有するか疑問である。
すなわち、特許文献１では、「携帯電話４用の充電器６により電源を供給できるようになっている点に特徴がある」と主張している（明細書［００１８］第１文）。しかし、一般的に携帯電話の充電器（ＡＣアダプター）は５００〜８００ｍＡであることが多いため、特許文献１に示すような照明器具へ直接に携帯電話の充電器（ＡＣアダプター）を使用すると、充電器が急激な負荷変動により過電流保護に入ってしまうおそれが考えられるからである。
【０００７】
そこで、本発明の目的は、上記のような課題を解決して、携帯電話やＰＨＳなどの携帯端末機の充電器や、ライト等の照明器具などとして使用できる一台で複数の機能を備えた実用性のある多機能器具装置を提供することにある。
【課題を解決するための手段】
【０００８】
上記目的を達成するために、第１の発明は、電源からの電力を接続させた携帯端末機の充電へ使用する携帯端末機充電機能と、電源からの電力を接続させた携帯端末機の充電以外の目的へ使用する充電外機能とを備えた多機能器具装置であって、装置起動時に出力電圧及び出力電流を漸次増加させて、多段階に分けて起動させるための多段階起動回路を備えたことを特徴とするものである。ここで「携帯端末機」には、携帯電話やＰＨＳの他に、ＰＤＡやノートパソコン、音楽再生機のようなものも含まれる。なお、携帯電話以外を使用する場合、それぞれ専用のコネクタ（例えばＵＳＢなど）を設けることにより使用可能となる。
第２の発明は、電源として、充電する携帯端末機に付属のＡＣアダプターを用いてコンセント，１次電池又は２次電池若しくはこれらの組み合わせからなるものを使用して電力を得ることを特徴とするものである。
第３の発明は、各種ＡＣアダプターに対応したアダプター接続口を備えたことを特徴とするものである。
第４の発明は、ＡＣアダプターの複数同時接続を防止するための多重接続防止機能を備えたことを特徴とするものである。
第５の発明は、充電外機能として、取り付けた発光体を発光させる発光機能を備えたことを特徴とするものである。ここで「発光体」としては、例えば、豆球，電球，ＬＥＤ，ＥＬなどがある。
第６の発明は、発光機能は、装置本体に対して付勢するようにして取り付けられている発光体の上カバーをタッチすることで起動するタッチスイッチを備えたことを特徴とするものである。
第７の発明は、充電外機能として、取り付けたモーターを回転させる動力機能を備えたことを特徴とするものである。
第８の発明は、充電外機能として、ＡＣアダプターから得た電力を備え付けた２次電池の充電へ使用する２次電池充電機能を備えたことを特徴とするものである。
第９の発明は、装置本体を携帯端末機充電機能部分と充電外機能部分とで切離自在としたことを特徴とするものである。
第１０の発明は、切り離した携帯端末機充電機能部分又は／及び充電外機能部分に手動による発電を可能とする手動発電機能を備えたことを特徴とするものである。
第１１の発明は、切り離した充電外機能部分に専用のＡＣアダプターを備えたことを特徴とするものである。
第１２の発明は、切り離した充電外機能部分に前記ＡＣアダプターを収納する収納スペースを備えたことを特徴とするものである。
第１３の発明は、備え付けた時計又は／及びタイマーのアラーム信号又はタイマー信号を受信し、携帯端末機充電機能又は充電外機能の作動時間を自在に設定させるための時間設定機能を備えたことを特徴とするものである。ここで「作動時間の設定」とは、作動開始時間又は／及び作動終了時間の設定、１時間や２時間といった作動一定時間の設定などをいう。
第１４の発明は、音声を外部出力可能とするスピーカーを備え付けたことを特徴とするものである。
第１５の発明は、各種携帯端末機に対応した携帯端末機接続口を備えたことを特徴とするものである。
【発明の効果】
【０００９】
本発明によれば、次のような効果を有する。
（１）一台の装置で、携帯端末機の充電機能とそれ以外の目的へ使用できる充電外機能とを備えた利便性の高い装置を提供できる。例えば、電源をコンセントからとる場合に、目的に応じてその都度コンセントの付け替えをする必要がなくなる。
（２）多段階起動回路を備えることで、ＡＣアダプターに急激な負荷がかからず、ＡＣアダプターを正常に起動させることができる。また、発光体（例えば、電球）の起動時に急激な負荷がかからず、発光体の劣化を最小限に抑えることができる。さらに、電流定格の低いスイッチでも使用可能である。
（３）ＡＣアダプターを利用することで、携帯端末機の購入に際して付属品となっているＡＣアダプターを有効活用する多機能器具装置を提供できる。また、各種ＡＣアダプターに対応したアダプター接続口を備えることで、利用者の所持している携帯端末機の機種を問わず、この多機能器具装置を使用できる。さらに、多重接続防止機能を備えることで、ＡＣアダプターの複数同時接続を防止できる。
（４）ＡＣアダプター以外にも１次電池や２次電池を利用することで、持ち運び自由な多機能器具装置を提供できる。また、ＡＣアダプターと１次電池や２次電池を組み合わせることで、ＡＣアダプターを１次電池又は２次電池の補充電源として使用できる。
（５）充電外機能として発光機能を備えることで、本装置を照明器具としても使用できる。また、その発光機能にタッチスイッチを備えることでいわゆるポンライトとして使用することができ、操作性に優れたものとなる。
（６）充電外機能として動力機能を備えることで、例えば、モーターの先にファンを取り付けて本装置を扇風機や送風機などとしても使用できる。
（７）充電外装置として２次電池充電機能を備えることで、携帯端末機を充電していない空き時間に２次電池を充電できる。
（８）装置本体を携帯端末機充電機能部分と充電外機能部分とで切離自在としたことで、充電外機能部分を切り離して使用できる。例えば、災害時に発光機能を備えた充電外機能部分を切り離して、防災ライトとして使用することができる。
（９）切り離した携帯端末機充電機能部分又は／及び充電外機能部分に手動発電機能を備えることで、災害等によって補充できる電力がない場合にも、電力を確保できる。
（１０）切り離した充電外機能部分に専用のＡＣアダプターを備えたことで、必要時にコンセントがあれば電力を確保できる。
（１２）切り離した充電外機能部分に前記ＡＣアダプターを収納する収納スペースを備えたことで、ＡＣアダプターが嵩張らなくなる。
（１３）時間設定機能を備えることで、携帯端末機充電機能又は充電外機能の予約設定を可能にする。
（１４）スピーカーを備え付けたことで、音によって様々な情報を伝達できる。例えば、災害時や非常時にスピーカーから音を出力することで、ＳＯＳ信号にもなる。
（１５）各種携帯端末機に対応した携帯端末機接続口を備えることで、利用者の所持している携帯端末機の機種を問わず、この装置を使用して充電できる。
（１６）停電検知機能を備え付けることで、停電時にライトをＯＮ（起動）させ、瞬時に周囲の状況を確認できる。
【発明を実施するための最良の形態】
【００１０】
本発明の実施の形態を図面に基づいて説明する。
なお、ここでは、携帯端末機として「携帯電話」を使用して説明する。
【００１１】
図１は、本発明の多機能器具装置に関する概念図の一例であり、この多機能器具装置は、携帯電話充電機能，発光機能及び２次電池充電機能を備えるものとする。
図示するように、本発明の多機能器具装置は、充電する携帯電話に付属のＡＣアダプターを使用するため、そのＡＣアダプターを接続可能とするアダプター接続口（携帯電話充電既存コネクタ）を備える。そして、携帯電話充電機能と発光機能とを切り替えるための切替スイッチを備える。
【００１２】
充電機能部分には接続コードを備え、充電する携帯電話又はその置き台を接続可能とする携帯端末機接続部（コネクタ）を備える。
【００１３】
発光機能部分には、本発明の特徴である制御装置、すなわち、多段階起動回路を備える。多段階起動回路は、発光機能起動時に出力電圧及び出力電流を漸次増加させて、多段階に分けて起動させるものであり、スローアップ回路ともいう。この多段階起動回路を備えることで、発光機能起動時にＡＣアダプターに急激な負荷がかからず、ＡＣアダプターを正常に起動させることができるのである。また、発光体として発光作用のある電球（ハロゲン球，クリプトン球など）を使用した場合に、起動時に急激な負荷をかけずに当該電球の劣化を最小限に抑えることができるのである。
【００１４】
図２に、多機能器具装置による電流の推移を示すグラフを示す。実線で示したグラフが多段階起動回路を介して発光機能（照明器具）へ接続した場合（本発明）を示し、破線で示したグラフが多段階起動回路を介さずにＡＣアダプターを発光機能（照明器具）へ直接接続した場合（従来例）を示す。従来例では、起動直後のＡＣアダプター出力電流値が多機能器具装置の電流値を超え、さらにはＡＣアダプター定格電流値も超え、過電流保護動作ポイント近くにまで達する多機能器具装置の突入電流となっている。このため、ＡＣアダプターの過電流保護動作により多機能器具装置が動作しない場合がある。これに対して、本発明では、多段階起動回路によって多段階に起動させるので多機能器具装置の突入電流を回避して正常に起動、動作させることができる。また、発光機能起動時の突入電流がなくなるので、制御装置の寿命を延ばす効果の他に、ＯＮ−ＯＦＦスイッチの保護、すなわち、電流定格の低いスイッチでも使用可能になる。
【００１５】
発光機能部分には、発光体を備える。この発光体としては、例えば、豆球，電球，ＬＥＤ，ＥＬがあげられる。また、多段階起動回路と発光体との間に設けられているスイッチは、発光機能部分のＯＮ・ＯＦＦを強制的に行えるようにしたものである。
【００１６】
発光機能部分には、その他に時計又はタイマーを備え付けている。これにより、時計のアラーム信号又はタイマー信号を受信して発光機能を起動させる時間設定機能を備えることができる。例えば、起床時間の少し前に時計のアラーム又はタイマーをセットすることで、発光によって起床させることが可能になり、アラーム音に比較して自然な目覚めができる。
【００１７】
２次電池充電機能部分は、アダプター接続口（携帯電話充電既存コネクタ）に充電装置が接続され、備え付けの２次電池を充電する。また、この充電装置は、専用のＡＣアダプター（ＡＣコード及びＡＣ−ＤＣ変換装置）又は手動の発電装置に接続されており、これら専用のＡＣアダプター又は手動発電装置から電力を得て２次電池を充電することもできる。
【００１８】
２次電池は、昇圧装置及び切替スイッチ（自動又は手動）を介して、携帯電話充電機能部分の接続コード及び発光機能部分の多段階起動回路に接続され、携帯電話充電機能又は発光機能の電源として使用される。
【００１９】
図３は、図１に示す多機能器具装置の回路図の一例であり、多段階起動回路部分を詳細に記載したものである。多段階起動回路の動作を説明すると、電気が制御回路を通して発光体に供給される時に、この多段階起動回路を通る。多段階起動回路はＣ１が充電されるまでＱ１が動作せず、結果Ｑ２が動作しないので発光体はＣ１が充電されるまでＲ６を介して動作する（１段目動作）。そして、Ｃ１が充電されるとＱ１が動作し、それによってＱ２が動作する。Ｑ２が動作した時点で発光体はＲ６を介さずに動作を始めるのである（２段目動作）。
【００２０】
図４は、本発明の多機能器具装置に関するデザイン図である。
多機能器具装置は、コンセントから電力を得るために携帯電話充電用ＡＣアダプター３５を接続可能とするアダプター接続口を備える。アダプター接続口は、各種ＡＣアダプターに対応できるようにするため、携帯電話用回転コネクタ２２を備え、本装置の底部に設けられた充電台に組み込まれている。なお、符号３６は携帯電話充電用ＡＣアダプター３５のコード、符号３７はオスコネクタである。
【００２１】
図５に携帯電話用回転コネクタ２２を詳細に示す。携帯電話用回転コネクタ２２は、円盤状のコネクタ受台４１の外周に沿って均等間隔にＡ社用メスコネクタ３９ａ，Ｂ社用メスコネクタ３９ｂ，Ｃ社用メスコネクタ３９ｃと複数のメスコネクタを、コネクタ受台４１の中央にコネクタ基板装置４０を備える。携帯電話用回転コネクタ２２には、メスコネクタに接続できる接続窓が１箇所しか穿孔されていないので、これが複数のメスコネクタに複数同時接続を防止するための多重接続防止機能の役割を果たす。なお、図５中、符号３８は銘板シール、符号２５は２次電池充電用出力端子である。
【００２２】
本発明の多機能器具装置は、充電機能として、充電台２３に充電制御装置２６を備える。また、充電する携帯電話３４と接続するための接続コード３０を備える。この接続コード３０の先端コネクタ３１には各種携帯電話３４又はその置き台３３を接続可能とする携帯端末機接続部（Ａ社用コネクタ３２ａ，Ｂ社用コネクタ３２ｂ，Ｃ社用コネクタ３２ｃ）を備える。これによって、携帯電話３４の機種を問わず、いずれの携帯電話も充電できる。
【００２３】
本発明の多機能器具装置は、充電台２３の上に装置本体９を備える。装置本体９には、携帯電話充電機能以外の発光機能及び２次電池充電機能を備える。
【００２４】
まず、発光機能として、装置本体９の頂部に上カバー１を設けて、その中に発光体装置６を備える。発光体装置６は、発光体受台５に発光体４と発光スイッチ７を備える。また、上カバー１は、複数のスプリング４，４…によって装置本体９の頂部に取り付けられている。そして、この付勢されている上カバー１をタッチすると上カバー１の底部にある反射板２が発光スイッチ７に接触し、発光体４を発光させる。いわゆるポンライトである。なお、装置本体９の内部に、制御装置（多段階起動回路）１１を備える。
【００２５】
次に、２次電池充電機能として、装置本体９の底部に２次電池２０を備える。充電台２３からは受台フタ２１を介して充電出力端子２５，２５が出ており、携帯用ＡＣアダプター３５からの電力がこの充電出力端子２５，２５及び充電入力端子２８，２８を通じて２次電池２０に充電される。なお、図６に充電台２３を上方から見た図を示す。ここで、符号２４は転倒スイッチである。
【００２６】
また、装置本体９は、携帯用ＡＣアダプター３５からの電力だけでなく、装置本体９単独で電力を得られるように、専用のＡＣアダプター（ＡＣコード１６，ＡＣプラグ１７）やＤＣメス様ジャック、装置本体９の底面に発電装置２９と発電機ハンドル２７を備える。専用のＡＣアダプターについては、ＡＣコード収納１２を設けることで、不使用時に嵩張らなくなる。
【００２７】
その他、装置本体９には、携帯電話充電機能と発光機能を切り替えるための切替スイッチ１３を備える。また、装置本体９には、時計１４が備え付けられている。そして、時計１４には時計アラーム設定スイッチ１５，１５を備え、所定の時間に発光機能を起動させるように設定できる。もちろん、単に目覚ましとしてのアラームを設定することも可能である。さらに、装置本体９には、スピーカー１９を備え、外部への音声出力を可能にする。なお、符号８は装置本体９の取っ手、符号２４は転倒スイッチである。
【００２８】
充電台２３と装置本体９とは、切離自在となっている。従って、災害時などに装置本体９を切り離して、災害時用ライトとして使用することも可能である。
また、例えば図７に示すように、発光機能と動力機能とを選択的に取り付けることも可能である。ここで、動力機能を備えた装置本体（扇風機本体）４２は、ファン（羽根）４３，２次電池４４，制御回路４５，切替スイッチ４６，駆動装置（モーター：図示省略）を備えている。
【産業上の利用可能性】
【００２９】
本発明は、主に家庭用・個人用の多機能器具装置として広く利用できるものである。但し、これに限らず、業務上のサービスの一環として利用することも可能である。
【図面の簡単な説明】
【００３０】
【図１】本発明の概念図。
【図２】本発明による電流の推移を示すグラフ。
【図３】本発明の回路図。
【図４】本発明のデザイン説明図。
【図５】本発明のその他のデザイン説明図。
【図６】本発明のその他のデザイン説明図。
【図７】本発明のその他のデザイン説明図。
【図８】特許文献１に開示された発明を示す説明図。
【図９】特許文献２に開示された発明を示す説明図。
【符号の説明】
【００３１】
１  上カバー                    ２１    受台フタ
２  反射板                      ２２    携帯電話用回転コネクタ
３  スプリング                  ２３    充電台
４  発光体                      ２４    転倒スイッチ
５  発光体受台                  ２５    充電出力端子
６  発光体装置                  ２６    充電制御装置
７  発光スイッチ                ２７    発動機ハンドル
８  取っ手                      ２８    充電入力端子
９  装置本体                    ２９    発動装置
１０  手動点灯スイッチ            ３０    接続コード
１１  制御装置                    ３１    コネクタ
１２  ＡＣコード収納              ３２ａ  Ａ社用コネクタ
１３  切替スイッチ                ３２ｂ  Ｂ社用コネクタ
１４  時計                        ３２ｃ  Ｃ社用コネクタ
１５  アラーム設定スイッチ        ３３    携帯電話用置き台
１６  ＡＣコード                  ３４    携帯電話
１７  ＡＣプラグ                  ３５    携帯電話用ＡＣアダプター
１８  ＤＣメス用ジャック          ３６    コード
１９  スピーカー                  ３７    オスコネクタ
２０  ２次電池
【図１】
2007006561.tif 000003
【図２】
2007006561.tif 000004
【図３】
2007006561.tif 000005
【図４】
2007006561.tif 000006
【図５】
2007006561.tif 000007
【図６】
2007006561.tif 000008
【図７】
2007006561.tif 000009
【図８】
2007006561.tif 000010
【図９】
2007006561.tif 000011